(57)【要約】【課題】Ｗｅｂ上での入溝申請により入溝申請手続きを簡易とし、かつ、情報ボックスの安全性確保および情報ボックスの管理コストの削減を実現した情報ボックス保守管理方法、情報ボックス保守管理装置、情報ボックス保守管理プログラム及び本プログラムを記録した記録媒体を提供する。【解決手段】電子錠６が各々取り付けられ入溝が制限される情報ボックスおよび作業予定期間を含む作業計画情報を作業計画情報データベース２２として蓄積管理し、電子錠６を開錠する各電子鍵情報を取得する際に必要な入溝申請番号と電子鍵取得情報を含む入溝申請情報とを入溝申請情報データベース２５として蓄積管理し、入溝希望者端末３から送信される情報ボックスおよび作業予定期間に基づき作業計画情報データベース２２を参照して入溝の許可を判定し、入溝許可順に入溝申請番号および電子鍵取得情報を検索し、検索した当該入溝申請番号および電子鍵取得情報を入溝希望者端末３に送信することを特徴とする。【選択図】　図１
2004054700.tif 000002
【特許請求の範囲】
【請求項１】
電子錠が各々取り付けられ入溝が制限される情報ボックスおよび当該情報ボックスに入溝して作業をする作業予定期間を含む作業計画情報を作業計画情報データベースとして蓄積管理し、
前記電子錠を開錠する各電子鍵情報を取得する際に必要とされる入溝申請番号と当該入溝申請番号に対応付けられた電子鍵取得情報を含む入溝申請情報とを入溝申請情報データベースとして蓄積管理し、
入溝希望者端末から通信回線を介して送信される入溝希望の情報ボックスおよび作業予定期間に基づき前記作業計画情報データベースを参照して入溝の許可を判定し、前記入溝申請情報データベースから入溝許可順に入溝申請番号および当該入溝申請番号に対応付けられた電子鍵取得情報を検索し、
検索した当該入溝申請番号および電子鍵取得情報を前記入溝希望者端末に通信回線を介して送信することを特徴とする情報ボックス保守管理方法。
【請求項２】
前記作業予定期間は、情報ボックス内に入溝して作業を開始する作業開始日時および作業を終了する作業終了日時から決定される期間であることを特徴とする請求項１記載の情報ボックス保守管理方法。
【請求項３】
情報ボックスに取り付けられた電子錠を開錠する各電子鍵情報を取得する際に必要とされる入溝申請番号と当該入溝申請番号に対応付けられた電子鍵取得情報を含む入溝申請情報とを入溝申請情報データベースとして蓄積管理し、
入溝申請が許可された入溝希望者端末に送信される前記入溝申請番号および電子鍵取得情報を入溝希望者が入溝予定の情報ボックスに関連付けて入溝許可情報管理データベースとして蓄積管理し、
前記情報ボックスおよび当該情報ボックスに入溝する電子錠の電子鍵情報を情報ボックス毎に電子鍵情報管理データベースとして蓄積管理し、
前記入溝希望者端末から通信回線を介して送信される入溝申請番号および電子鍵取得情報が前記入溝申請情報データベースに登録されている場合に、前記入溝許可情報管理データベースを参照し、当該入溝申請番号に対応する情報ボックスを検索し、
検索した前記情報ボックスに基づき前記電子鍵情報管理データベースを参照して検索される電子鍵情報を前記入溝希望者端末に通信回線を介して送信することを特徴とする情報ボックス保守管理方法。
【請求項４】
電子錠に接続された通信端末から送信される情報ボックスの電子鍵情報が前記電子鍵情報管理データベースに登録されている場合に、当該電子鍵情報に基づき前記情報ボックスを検索し、
検索した当該情報ボックスの電子錠が開錠された開錠情報を前記電子鍵情報管理データベースに登録することを特徴とする請求項３記載の情報ボックス保守管理方法。
【請求項５】
情報ボックスが閉じられたときに電子錠に接続された通信端末から送信される情報ボックスの電子鍵情報が前記電子鍵情報管理データベースに登録されている場合に、当該電子鍵情報に基づき前記情報ボックスを検索し、検索した当該情報ボックスの電子錠が閉じられた閉錠情報を前記電子鍵情報管理データベースに登録することを特徴とする請求項３または４記載の情報ボックス保守管理方法。
【請求項６】
情報ボックスの設置位置を表示した地域毎の電子地図情報に当該情報ボックスの位置情報を関連付けて電子地図情報データベースとして蓄積管理し、
電子錠の前記開錠情報または閉錠情報が前記電子鍵情報管理データベースに登録されたときに、当該開錠情報または閉錠情報が登録された情報ボックスの設置位置を検索し、
検索した前記情報ボックスの設置情報に基づき前記電子地図情報データベースを参照して当該情報ボックスの設置位置を含む電子地図情報を検索し、
検索した当該地図情報上に特定された前記情報ボックスを当該地図情報上に表示される他の情報ボックスから識別して表示させることを特徴とする請求項３から５までのいずれかに記載の情報ボックス保守管理方法。
【請求項７】
電子錠が各々取り付けられ入溝が制限される情報ボックスおよび当該情報ボックスに入溝して作業をする作業予定期間を含む作業計画情報を作業計画情報データベースとして蓄積管理する作業計画情報蓄積管理手段と、
前記電子錠を開錠する各電子鍵情報を取得する際に必要とされる入溝申請番号と当該入溝申請番号に対応付けられた電子鍵取得情報を含む入溝申請情報とを入溝申請情報データベースとして蓄積管理する入溝申請情報蓄積管理手段と、
入溝希望者端末から通信回線を介して送信される入溝希望の情報ボックスおよび作業予定期間に基づき前記作業計画情報データベースを参照して入溝の許可を判定し、前記入溝申請情報データベースから入溝許可順に入溝申請番号および当該入溝申請番号に対応付けられた電子鍵取得情報を検索する検索手段と、
検索した当該入溝申請番号および電子鍵取得情報を前記入溝希望者端末に通信回線を介して送信する送信手段と、
を備えることを特徴とする情報ボックス保守管理装置。
【請求項８】
前記作業予定期間は、情報ボックス内に入溝して作業を開始する作業開始日時および作業を終了する作業終了日時から決定される期間であることを特徴とする請求項７記載の情報ボックス保守管理装置。
【請求項９】
情報ボックスに取り付けられた電子錠を開錠する各電子鍵情報を取得する際に必要とされる入溝申請番号と当該入溝申請番号に対応付けられた電子鍵取得情報を含む入溝申請情報とを入溝申請情報データベースとして蓄積管理する入溝許可情報蓄積管理手段と、
入溝申請が許可された入溝希望者端末に送信される前記入溝申請番号および電子鍵取得情報を入溝希望者が入溝予定の情報ボックスに関連付けて入溝許可情報管理データベースとして蓄積管理する入溝許可情報蓄積管理手段と、
前記情報ボックスおよび当該情報ボックスに入溝する電子錠の電子鍵情報を情報ボックス毎に電子鍵情報管理データベースとして蓄積管理する電子鍵情報蓄積管理手段と、
前記入溝希望者端末から通信回線を介して送信される入溝申請番号および電子鍵取得情報が前記入溝申請情報データベースに登録されている場合に、前記入溝許可情報管理データベースを参照し、当該入溝申請番号に対応する情報ボックスを検索する情報ボックス検索手段と、
検索した前記情報ボックスに基づき前記電子鍵情報管理データベースを参照して検索される電子鍵情報を前記入溝希望者端末に通信回線を介して送信する送信手段と、
を備えることを特徴とする情報ボックス保守管理装置。
【請求項１０】
電子錠に接続された通信端末から送信される情報ボックスの電子鍵情報が前記電子鍵情報管理データベースに登録されている場合に、当該電子鍵情報に基づき前記情報ボックスを検索する検索手段と、
検索した当該情報ボックスの電子錠が開錠された開錠情報を前記電子鍵情報管理データベースに登録する開錠情報登録手段と、
を備えることを特徴とする請求項９記載の情報ボックス保守管理装置。
【請求項１１】
情報ボックスが閉じられたときに電子錠に接続された通信端末から送信される情報ボックスの電子鍵情報が前記電子鍵情報管理データベースに登録されている場合に、当該電子鍵情報に基づき前記情報ボックスを検索する検索手段と、
検索した当該情報ボックスの電子錠が閉じられた閉錠情報を前記電子鍵情報管理データベースに登録する閉錠情報登録手段と、
を備えることを特徴とする請求項９または１０記載の情報ボックス保守管理装置。
【請求項１２】
情報ボックスの設置位置を表示した地域毎の電子地図情報に当該情報ボックスの位置情報を関連付けて電子地図情報データベースとして蓄積管理する電子地図情報蓄積管理手段と、
電子錠の前記開錠情報または閉錠情報が前記電子鍵情報管理データベースに登録されたときに、当該開錠情報または閉錠情報が登録された情報ボックスの設置位置を検索する位置検索手段と、
検索した前記情報ボックスの設置情報に基づき前記電子地図情報データベースを参照して当該情報ボックスの設置位置を含む電子地図情報を検索する電子地図情報検索手段と、
検索した当該地図情報上に特定された前記情報ボックスを当該地図情報上に表示される他の情報ボックスから識別して表示させる識別表示手段と、
を備えることを特徴とする請求項９から１１までのいずれかに記載の情報ボックス保守管理装置。
【請求項１３】
電子錠が各々取り付けられ入溝が制限される情報ボックスおよび当該情報ボックスに入溝して作業をする作業予定期間を含む作業計画情報を作業計画情報データベースとして蓄積管理し、
前記電子錠を開錠する各電子鍵情報を取得する際に必要とされる入溝申請番号と当該入溝申請番号に対応付けられた電子鍵取得情報を含む入溝申請情報とを入溝申請情報データベースとして蓄積管理し、
コンピュータに、入溝希望者端末から通信回線を介して送信される入溝希望の情報ボックスおよび作業予定期間に基づき前記作業計画情報データベースを参照して入溝の許可を判定し、前記入溝申請情報データベースから入溝許可順に入溝申請番号および当該入溝申請番号に対応付けられた電子鍵取得情報を検索する機能と、
検索した当該入溝申請番号および電子鍵取得情報を前記入溝希望者端末に通信回線を介して送信する機能と、
を実行させることを特徴とする情報ボックス保守管理プログラム。
【請求項１４】
情報ボックスに取り付けられた電子錠を開錠する各電子鍵情報を取得する際に必要とされる入溝申請番号と当該入溝申請番号に対応付けられた電子鍵取得情報を含む入溝申請情報とを入溝申請情報データベースとして蓄積管理し、
入溝申請が許可された入溝希望者端末に送信される前記入溝申請番号および電子鍵取得情報を入溝希望者が入溝予定の情報ボックスに関連付けて入溝許可情報管理データベースとして蓄積管理し、
前記情報ボックスおよび当該情報ボックスに入溝する電子錠の電子鍵情報を情報ボックス毎に電子鍵情報管理データベースとして蓄積管理し、
コンピュータに、前記入溝希望者端末から通信回線を介して送信される入溝申請番号および電子鍵取得情報が前記入溝申請情報データベースに登録されている場合に、前記入溝許可情報管理データベースを参照し、当該入溝申請番号に対応する情報ボックスを検索する機能と、
検索した前記情報ボックスに基づき前記電子鍵情報管理データベースを参照して検索される電子鍵情報を前記入溝希望者端末に通信回線を介して送信する機能と、
を実行させることを特徴とする情報ボックス保守管理プログラム。
【請求項１５】
電子錠が各々取り付けられ入溝が制限される情報ボックスおよび当該情報ボックスに入溝して作業をする作業予定期間を含む作業計画情報を作業計画情報データベースとして蓄積管理し、
前記電子錠を開錠する各電子鍵情報を取得する際に必要とされる入溝申請番号と当該入溝申請番号に対応付けられた電子鍵取得情報を含む入溝申請情報とを入溝申請情報データベースとして蓄積管理し、
コンピュータに、入溝希望者端末から通信回線を介して送信される入溝希望の情報ボックスおよび作業予定期間に基づき前記作業計画情報データベースを参照して入溝の許可を判定し、前記入溝申請情報データベースから入溝許可順に入溝申請番号および当該入溝申請番号に対応付けられた電子鍵取得情報を検索する機能と、
検索した当該入溝申請番号および電子鍵取得情報を前記入溝希望者端末に通信回線を介して送信する機能と、
を実行させる情報ボックス保守管理プログラムを記録した記録媒体。
【請求項１６】
情報ボックスに取り付けられた電子錠を開錠する各電子鍵情報を取得する際に必要とされる入溝申請番号と当該入溝申請番号に対応付けられた電子鍵取得情報を含む入溝申請情報とを入溝申請情報データベースとして蓄積管理し、
入溝申請が許可された入溝希望者端末に送信される前記入溝申請番号および電子鍵取得情報を入溝希望者が入溝予定の情報ボックスに関連付けて入溝許可情報管理データベースとして蓄積管理し、
前記情報ボックスおよび当該情報ボックスに入溝する電子錠の電子鍵情報を情報ボックス毎に電子鍵情報管理データベースとして蓄積管理し、
コンピュータに、前記入溝希望者端末から通信回線を介して送信される入溝申請番号および電子鍵取得情報が前記入溝申請情報データベースに登録されている場合に、前記入溝許可情報管理データベースを参照し、当該入溝申請番号に対応する情報ボックスを検索する機能と、
検索した前記情報ボックスに基づき前記電子鍵情報管理データベースを参照して検索される電子鍵情報を前記入溝希望者端末に通信回線を介して送信する機能と、
を実行させる情報ボックス保守管理プログラムを記録した記録媒体。
【発明の詳細な説明】
【０００１】
【発明の属する技術分野】
本発明は、Ｗｅｂ上で情報ボックスの入溝申請が可能であり、情報ボックスの入溝管理を厳格化した情報ボックス保守管理方法、情報ボックス保守管理装置、情報ボックス保守管理プログラムおよび当該プログラムを記録した記録媒体に関する。
【０００２】
【従来の技術】
近年、我が国において、超高速アクセスが可能な世界最高水準のインターネット網の整備を促進し、必要とするすべての国民が低廉な料金で利用できる環境の整備を目的としたｅ−ＪＡＰＡＮ構想が進められている。
【０００３】
我が国におけるインターネット利用の遅れの主要因は、地域通信市場の独占による高い通信料金、公正及び活発な競争を妨げる規制の存在などの各種制度的な問題にあった。このため、我が国では、光ファイバケーブルを収容するための情報ボックスを構築して、構築した情報ボックスを通信事業者に対して広く開放している。
【０００４】
情報ボックスは、道路の地下に設置される構造物で、複数のケーブルを敷設することが可能である。
【０００５】
情報ボックスに入溝して、新たな光ファイバケーブルを増設する作業をする際には、例えば、図１７に示す手順により入溝申請手続きが行われていた。具体的には、図１７に示すように、まず、入溝希望者が工事事務所などに移動して、入溝したい情報ボックスや入溝希望日などの所定事項について入溝申請書に記入する（ｄ５０１）。また、入溝申請書には、情報ボックスや入溝希望日を記入するのみならず、事業者の公印などが必要とされ、煩雑な手続きが必要である。入溝希望者は、記入した入溝申請書を情報ボックス保守管理者に届け出る等により、情報ボックス保守管理者は入溝申請書を受け付ける（ｄ５０２）。情報ボックス保守管理者は、入溝申請書に基づき入溝希望者の入溝を許可するか否かを判断し、入溝の承認により入溝希望者の入溝を許可し（ｄ５０３）、承認書などを入溝希望者に通知する。入溝希望者は承認書を受領した後（ｄ５０４）、入溝する情報ボックスの設置位置および作業日程などを鍵貸与簿に記入する（ｄ５０５）。入溝希望者は、鍵貸与簿に記入した後、鍵貸与簿を情報ボックス保守管理者に届け出る。情報ボックス保守管理者は、入溝希望者から送られた申請書と鍵貸与簿を保管し（ｄ５０６）、入溝希望者に鍵の貸与をする（ｄ５０７）。鍵の貸与は、情報ボックス保守管理者から送付されるかあるいは入溝希望者が情報ボックス管理者のところに取りに行くことにより貸与される。これにより入溝希望者は鍵を受領する（ｄ５０８）。
【０００６】
入溝希望者は鍵を受領した後、入溝作業を行う現場に移動し、鍵を用いて鉄蓋を開き（ｄ５０９）、光ファイバケーブル増設などの入溝作業を実施する（ｄ５１１）。入溝作業の終了後、情報ボックス保守管理者により貸与された鍵により鉄蓋を閉め施錠する（ｄ５１３）。
【０００７】
作業終了後、入溝希望者は、さらに工事事務所などに移動して鍵を返却し（ｄ５１４）、鍵貸与簿に鍵の返却通知を記入する（ｄ５１５）。その後、情報ボックス保守管理者は、入溝希望者から鍵を受領し（ｄ５１６）、申請書および鍵貸与簿を保管する（ｄ５１７）
上記方法により、入溝希望者は情報ボックスの入溝申請手続きを行った後、情報ボックス保守管理者から貸与される情報ボックスの鉄蓋を開閉するための鍵を受け取るなどして、情報ボックスへの入溝申請手続きや入溝管理を行っていた。
【０００８】
【発明が解決しようとする課題】
しかしながら、従来の方法は、入溝希望者に対して鍵を貸与し、鍵を貸与された入溝希望者が情報ボックスを開錠した後に入溝作業を実施し、実際の鍵を入溝希望者に渡すことにより行われていたため、単に情報ボックスに入溝するための鍵管理を行っているにすぎず、情報ボックス自体の入溝管理を行うものではなかった。この結果、情報ボックスの保守管理を厳格に行うことができないという問題を有していた。
【０００９】
また、鍵の管理を厳格化するため、実際作業を行う際、入溝希望者の依頼に応じて情報ボックスの保守管理者が鍵を入溝希望者に対して届け、入溝作業時ごとに情報ボックスの開閉を行い、鍵の管理を厳格化するという方法もある。しかし、このような方法では、鍵の管理をする作業員が必要であるため、異なる地域で同時刻に作業が実施される場合には、鍵の受け渡しをするための作業員が必要となり、その結果、情報ボックスの入溝管理を行うために経費がかかるなどの問題を有していた。
【００１０】
また、従来の方法では、入溝作業の申請をする際に、入溝希望者が入溝申請書を記入して情報ボックス保守管理者に対して申請を行っていたため、入溝希望者は情報ボックス保守管理者のもとに出向く必要があり、入溝申請の手続きは、煩雑かつ時間がかかり、入溝希望者に負担がかかっていた。
【００１１】
さらに、情報ボックスには、各種事業者がケーブルを入線しているため、情報ボックスに入溝する入溝者数の増加に伴い、入溝者が情報ボックスに出入りする回数が増加していた。このため、効率的に情報ボックスに入溝することが可能な手続きが必要とされていた。また、情報ボックスでは、他業者が入線している場所に別の事業者が入溝する可能性があるため、厳格に情報ボックスへの入溝管理を行うことが必要とされていた。
【００１２】
本発明は、上記問題を解決するためのものであり、情報ボックスへの入溝申請および許可の手続きを簡素化するとともに、情報ボックスの開閉管理をリアルタイムに行うことが可能な情報ボックス保守管理方法、情報ボックス保守管理装置、情報ボックス保守管理プログラム及び本プログラムを記録した記録媒体を提供することを目的とする。
【００１３】
【課題を解決するための手段】
上記目的を達成すべく、従来における情報ボックスへの入溝申請および許可の書面による手続きをＷｅｂ上で行えると共に、通信回線を介して電子鍵を受け渡しすることにより、情報ボックスへの入溝申請および許可の手続きを簡素化した情報ボックス保守管理方法、情報ボックス保守管理装置、情報ボックス保守管理プログラムおよび当該プログラムを記録した記録媒体を提供するものである。
【００１４】
また、入溝が許可された入溝希望者によって電子錠が開錠され、あるいは閉錠されたときに、開閉された情報ボックスを保守管理装置において管理できるようにすることにより、情報ボックスをリアルタイムに保守管理することができ、その結果、情報ボックスの保守管理を厳格化した情報ボックス保守管理方法、情報ボックス保守管理装置、情報ボックス保守管理プログラムおよび当該プログラムを記録した記録媒体を提供するものである。
【００１５】
すなわち、本発明の情報ボックス保守管理方法は、電子錠が各々取り付けられ入溝が制限される情報ボックスおよび当該情報ボックスに入溝して作業をする作業予定期間を含む作業計画情報を作業計画情報データベースとして蓄積管理し、前記電子錠を開錠する各電子鍵情報を取得する際に必要とされる入溝申請番号と当該入溝申請番号に対応付けられた電子鍵取得情報を含む入溝申請情報とを入溝申請情報データベースとして蓄積管理し、入溝希望者端末から通信回線を介して送信される入溝希望の情報ボックスおよび作業予定期間に基づき前記作業計画情報データベースを参照して入溝の許可を判定し、前記入溝申請情報データベースから入溝許可順に入溝申請番号および当該入溝申請番号に対応付けられた電子鍵取得情報を検索し、検索した当該入溝申請番号および電子鍵取得情報を前記入溝希望者端末に通信回線を介して送信することを特徴とする。
【００１６】
本発明によれば、情報ボックスに電子錠を取り付け、情報ボックスおよび作業日程を含む作業計画情報を予め蓄積管理しておき、入溝希望者端末からのアクセスにより入溝が許可された順に、入溝申請番号および電子鍵取得用情報などの入溝申請情報を入溝希望者端末に送信することにより、Ｗｅｂ上での入溝申請が可能となる。
【００１７】
また、上記発明において、作業予定期間は、情報ボックス内に入溝して作業を開始する作業開始日時および作業を終了する作業終了日時から決定される期間であることが望ましい。このように作業予定期間を作業日時により管理することにより、入溝作業が行われる正確な情報を把握することができる。なお、作業予定期間は、例えば、日付と、午前、午後、夜間等の区分とから決められる時間帯とから管理しても良い。
【００１８】
本発明の情報ボックス保守管理方法は、情報ボックスに取り付けられた電子錠を開錠する各電子鍵情報を取得する際に必要とされる入溝申請番号と当該入溝申請番号に対応付けられた電子鍵取得情報を含む入溝申請情報とを入溝申請情報データベースとして蓄積管理し、入溝申請が許可された入溝希望者端末に送信される前記入溝申請番号および電子鍵取得情報を入溝希望者が入溝予定の情報ボックスに関連付けて入溝許可情報管理データベースとして蓄積管理し、前記情報ボックスおよび当該情報ボックスに入溝する電子錠の電子鍵情報を情報ボックス毎に電子鍵情報管理データベースとして蓄積管理し、前記入溝希望者端末から通信回線を介して送信される入溝申請番号および電子鍵取得情報が前記入溝申請情報データベースに登録されている場合に、前記入溝許可情報管理データベースを参照し、当該入溝申請番号に対応する情報ボックスを検索し、検索した前記情報ボックスに基づき前記電子鍵情報管理データベースを参照して検索される電子鍵情報を前記入溝希望者端末に通信回線を介して送信することを特徴とする。
【００１９】
本発明によれば、情報ボックスおよび情報ボックスの鉄蓋に取り付けられた電子錠の電子鍵情報を関連付け、さらに、入溝許可者に送信した入溝申請番号とを関連付けているため、入溝希望者は入溝申請番号および電子鍵取得用情報を送信することにより、電子錠を開錠するための電子鍵情報を取得できる。その結果、情報ボックスの保守管理をこれまでの鍵管理よりもよりアルタイムに管理することが可能となる。なお、入溝希望者端末は、持ち運び可能な携帯用の通信端末を用いたものであっても良い。
【００２０】
また、上記発明において、電子錠に接続された通信端末から送信される情報ボックスの電子鍵情報が前記電子鍵情報管理データベースに登録されている場合に、当該電子鍵情報に基づき前記情報ボックスを検索し、検索した当該情報ボックスの電子錠が開錠された開錠情報を前記電子鍵情報管理データベースに登録することが望ましい。
【００２１】
本発明によれば、開錠された電子錠が取り付けられた情報ボックスを識別できるため、情報ボックス保守管理装置にて情報ボックスへの入溝作業の開始を把握でき、リアルタイムに情報ボックスの開閉管理をすることができる。
【００２２】
また、上記発明において、情報ボックスが閉じられたときに電子錠に接続された通信端末から送信される情報ボックスの電子鍵情報が前記電子鍵情報管理データベースに登録されている場合に、当該電子鍵情報に基づき前記情報ボックスを検索し、検索した当該情報ボックスの電子錠が閉じられた閉錠情報を前記電子鍵情報管理データベースに登録することが望ましい。
【００２３】
本発明によれば、情報ボックスを閉じたときに送信される閉錠情報から情報ボックスを識別できるため、情報ボックス保守管理装置にて情報ボックスでの入溝作業が終了し、電子錠が閉じられていることを把握でき、リアルタイムに情報ボックスの開閉管理をすることができる。
【００２４】
さらに、上記発明において、情報ボックスの設置位置を表示した地域毎の電子地図情報に当該情報ボックスの位置情報を関連付けて電子地図情報データベースとして蓄積管理し、電子錠の前記開錠情報または閉錠情報が前記電子鍵情報管理データベースに登録されたときに、当該開錠情報または閉錠情報が登録された情報ボックスの設置位置を検索し、検索した前記情報ボックスの設置情報に基づき前記電子地図情報データベースを参照して当該情報ボックスの設置位置を含む電子地図情報を検索し、検索した当該地図情報上に特定された前記情報ボックスを当該地図情報上に表示される他の情報ボックスから識別して表示させることが望ましい。
【００２５】
本発明によれば、電子地図情報の地図情報データベースを蓄積管理しておき、通信端末から送信される電子鍵情報に基づき電子錠が開錠された情報ボックスああるいは閉じられて情報ボックスを電子地図上において識別表示することができるため、電子錠の開閉状況が地図上で容易に把握でき、情報ボックスの保守管理を容易かつ厳格に行うことができる。
【００２６】
本発明の情報ボックス保守管理装置は、電子錠が各々取り付けられ入溝が制限される情報ボックスおよび当該情報ボックスに入溝して作業をする作業予定期間を含む作業計画情報を作業計画情報データベースとして蓄積管理する作業計画情報蓄積管理手段と、前記電子錠を開錠する各電子鍵情報を取得する際に必要とされる入溝申請番号と当該入溝申請番号に対応付けられた電子鍵取得情報を含む入溝申請情報とを入溝申請情報データベースとして蓄積管理する入溝申請情報蓄積管理手段と、入溝希望者端末から通信回線を介して送信される入溝希望の情報ボックスおよび作業予定期間に基づき前記作業計画情報データベースを参照して入溝の許可を判定し、前記入溝申請情報データベースから入溝許可順に入溝申請番号および当該入溝申請番号に対応付けられた電子鍵取得情報を検索する検索手段と、検索した当該入溝申請番号および電子鍵取得情報を前記入溝希望者端末に通信回線を介して送信する送信手段と、を備えることを特徴とする。
【００２７】
本発明によれば、情報ボックスに電子錠を取り付け、情報ボックスおよび作業日程を含む作業計画情報を蓄積管理しておくことにより、入溝希望者端末から情報ボックスおよび作業日程を受信して、受信した情報に基づき入溝の許可を判定して入溝を許可することによりＷｅｂ上において入溝申請の手続きを行うことができる。
【００２８】
上記発明において、前記作業予定期間は、情報ボックス内に入溝して作業を開始する作業開始日時および作業を終了する作業終了日時から決定される期間であることが望ましい。このように作業予定期間を作業日時により管理することにより、入溝作業が行われる正確な情報を把握でき、リアルタイムに管理することができる。
【００２９】
また、本発明の情報ボックス保守管理装置は、情報ボックスに取り付けられた電子錠を開錠する各電子鍵情報を取得する際に必要とされる入溝申請番号と当該入溝申請番号に対応付けられた電子鍵取得情報を含む入溝申請情報とを入溝申請情報データベースとして蓄積管理する入溝許可情報蓄積管理手段と、入溝申請が許可された入溝希望者端末に送信される前記入溝申請番号および電子鍵取得情報を入溝希望者が入溝予定の情報ボックスに関連付けて入溝許可情報管理データベースとして蓄積管理する入溝許可情報蓄積管理手段と、前記情報ボックスおよび当該情報ボックスに入溝する電子錠の電子鍵情報を情報ボックス毎に電子鍵情報管理データベースとして蓄積管理する電子鍵情報蓄積管理手段と、前記入溝希望者端末から通信回線を介して送信される入溝申請番号および電子鍵取得情報が前記入溝申請情報データベースに登録されている場合に、前記入溝許可情報管理データベースを参照し、当該入溝申請番号に対応する情報ボックスを検索する情報ボックス検索手段と、検索した前記情報ボックスに基づき前記電子鍵情報管理データベースを参照して検索される電子鍵情報を前記入溝希望者端末に通信回線を介して送信する送信手段と、を備えることを特徴とする。
【００３０】
本発明によれば、情報ボックスおよび情報ボックスの鉄蓋に電子錠を開錠する電子鍵情報を関連付け、かつ、入溝許可者に送信した入溝申請番号とを関連付けているため、入溝希望者は入溝申請番号および電子鍵取得用情報を送信することにより、電子錠を開錠するための電子鍵情報を取得でき、その結果、リアルタイムに情報ボックスの開閉管理をすることができる。なお、入溝希望者端末は、持ち運び可能な携帯用の通信端末を用いたものであっても良い。
【００３１】
さらに、上記発明において、電子錠に接続された通信端末から送信される情報ボックスの電子鍵情報が前記電子鍵情報管理データベースに登録されている場合に、当該電子鍵情報に基づき前記情報ボックスを検索する検索手段と、検索した当該情報ボックスの電子錠が開錠された開錠情報を前記電子鍵情報管理データベースに登録する開錠情報登録手段と、を備えることが望ましい。
【００３２】
本発明によれば、開錠された電子錠を特定して情報ボックスを識別できるため、情報ボックスへの入溝作業が開始されることを把握でき、リアルタイムに情報ボックスの開閉管理をすることができる。
【００３３】
また、上記発明において、情報ボックスが閉じられたときに電子錠に接続された通信端末から送信される情報ボックスの電子鍵情報が前記電子鍵情報管理データベースに登録されている場合に、当該電子鍵情報に基づき前記情報ボックスを検索する検索手段と、検索した当該情報ボックスの電子錠が閉じられた閉錠情報を前記電子鍵情報管理データベースに登録する閉錠情報登録手段と、を備えることが望ましい。
【００３４】
本発明によれば、作業終了後に情報ボックスが閉じられた時に情報ボックス保守管理装置が閉じた情報ボックスを識別できるため、作業の終了を認識でき、リアルタイムに情報ボックスの開閉管理をすることができる。
【００３５】
さらに、上記発明において、情報ボックスの設置位置を表示した地域毎の電子地図情報に当該情報ボックスの位置情報を関連付けて電子地図情報データベースとして蓄積管理する電子地図情報蓄積管理手段と、電子錠の前記開錠情報または閉錠情報が前記電子鍵情報管理データベースに登録されたときに、当該開錠情報または閉錠情報が登録された情報ボックスの設置位置を検索する位置検索手段と、検索した前記情報ボックスの設置情報に基づき前記電子地図情報データベースを参照して当該情報ボックスの設置位置を含む電子地図情報を検索する電子地図情報検索手段と、検索した当該地図情報上に特定された前記情報ボックスを当該地図情報上に表示される他の情報ボックスから識別して表示させる識別表示手段と、を備えることが望ましい。
【００３６】
本発明によれば、電子地図情報の地図情報データベースを蓄積管理しておき、通信端末から送信される電子鍵情報に基づき電子錠が開錠された情報ボックスおよび閉じられた情報ボックスを電子地図上において識別表示できるため、情報ボックスの開閉状況が地図上で容易に把握でき、情報ボックスの保守管理を厳格に行うことができる。
【００３７】
本発明の情報ボックス保守管理プログラムは、電子錠が各々取り付けられ入溝が制限される情報ボックスおよび当該情報ボックスに入溝して作業をする作業予定期間を含む作業計画情報を作業計画情報データベースとして蓄積管理し、前記電子錠を開錠する各電子鍵情報を取得する際に必要とされる入溝申請番号と当該入溝申請番号に対応付けられた電子鍵取得情報を含む入溝申請情報とを入溝申請情報データベースとして蓄積管理し、コンピュータに、入溝希望者端末から通信回線を介して送信される入溝希望の情報ボックスおよび作業予定期間に基づき前記作業計画情報データベースを参照して入溝の許可を判定し、前記入溝申請情報データベースから入溝許可順に入溝申請番号および当該入溝申請番号に対応付けられた電子鍵取得情報を検索する機能と、検索した当該入溝申請番号および電子鍵取得情報を前記入溝希望者端末に通信回線を介して送信する機能と、を実行させることを特徴とする。
【００３８】
また、本発明の情報ボックス保守管理プログラムは、情報ボックスに取り付けられた電子錠を開錠する各電子鍵情報を取得する際に必要とされる入溝申請番号と当該入溝申請番号に対応付けられた電子鍵取得情報を含む入溝申請情報とを入溝申請情報データベースとして蓄積管理し、入溝申請が許可された入溝希望者端末に送信される前記入溝申請番号および電子鍵取得情報を入溝希望者が入溝予定の情報ボックスに関連付けて入溝許可情報管理データベースとして蓄積管理し、前記情報ボックスおよび当該情報ボックスに入溝する電子錠の電子鍵情報を情報ボックス毎に電子鍵情報管理データベースとして蓄積管理し、コンピュータに、前記入溝希望者端末から通信回線を介して送信される入溝申請番号および電子鍵取得情報が前記入溝申請情報データベースに登録されている場合に、前記入溝許可情報管理データベースを参照し、当該入溝申請番号に対応する情報ボックスを検索する機能と、検索した前記情報ボックスに基づき前記電子鍵情報管理データベースを参照して検索される電子鍵情報を前記入溝希望者端末に通信回線を介して送信する機能と、を実行させることを特徴とする。
【００３９】
上記本発明によれば、Ｗｅｂ上で入溝申請の手続きする方法あるいは情報ボックスを保守管理する方法を実行させるプログラムを得ることができる。
【００４０】
本発明は、電子錠が各々取り付けられ入溝が制限される情報ボックスおよび当該情報ボックスに入溝して作業をする作業予定期間を含む作業計画情報を作業計画情報データベースとして蓄積管理し、前記電子錠を開錠する各電子鍵情報を取得する際に必要とされる入溝申請番号と当該入溝申請番号に対応付けられた電子鍵取得情報を含む入溝申請情報とを入溝申請情報データベースとして蓄積管理し、コンピュータに、入溝希望者端末から通信回線を介して送信される入溝希望の情報ボックスおよび作業予定期間に基づき前記作業計画情報データベースを参照して入溝の許可を判定し、前記入溝申請情報データベースから入溝許可順に入溝申請番号および当該入溝申請番号に対応付けられた電子鍵取得情報を検索する機能と、検索した当該入溝申請番号および電子鍵取得情報を前記入溝希望者端末に通信回線を介して送信する機能と、を実行させる情報ボックス保守管理プログラムを記録した記録媒体である。
【００４１】
また、本発明は、情報ボックスに取り付けられた電子錠を開錠する各電子鍵情報を取得する際に必要とされる入溝申請番号と当該入溝申請番号に対応付けられた電子鍵取得情報を含む入溝申請情報とを入溝申請情報データベースとして蓄積管理し、入溝申請が許可された入溝希望者端末に送信される前記入溝申請番号および電子鍵取得情報を入溝希望者が入溝予定の情報ボックスに関連付けて入溝許可情報管理データベースとして蓄積管理し、前記情報ボックスおよび当該情報ボックスに入溝する電子錠の電子鍵情報を情報ボックス毎に電子鍵情報管理データベースとして蓄積管理し、コンピュータに、前記入溝希望者端末から通信回線を介して送信される入溝申請番号および電子鍵取得情報が前記入溝申請情報データベースに登録されている場合に、前記入溝許可情報管理データベースを参照し、当該入溝申請番号に対応する情報ボックスを検索する機能と、検索した前記情報ボックスに基づき前記電子鍵情報管理データベースを参照して検索される電子鍵情報を前記入溝希望者端末に通信回線を介して送信する機能と、を実行させる情報ボックス保守管理プログラムを記録した記録媒体である。
【００４２】
上記本発明によれば、Ｗｅｂ上において情報ボックスに入溝申請する方法あるいは情報ボックスを保守管理する方法を実行できるプログラムを記録媒体に記録しているため、この記憶媒体を用いてその流通性を高めることができる。
【００４３】
【発明の実施の形態】
以下、情報ボックス保守管理方法および情報ボックス保守管理装置について、第１実施形態から第３実施形態までを用いて説明する。なお、本実施形態では、リレーショナルデータベースを用いて各データベースの管理をした例を挙げる。
【００４４】
第１実施形態（図１〜図１５）
本実施形態では、情報ボックス保守管理装置およびこの情報ボックス保守管理装置を使用してＷｅｂ上において情報ボックスへの入溝申請を可能とし、また、情報ボックスの鉄蓋に電子錠を取り付けて、情報ボックスの開閉管理をリアルタイムに行ったものである。
【００４５】
図１は、情報ボックス保守管理装置１を使用して情報ボックス保守管理方法を実現するためのシステム構成を示す図である。本図に示すように、情報ボックス保守管理装置１は、通信回線２を介して入溝希望者端末３および通信端末４に接続可能に構成される。例えば、通信端末４は、移動通信が可能な携帯端末（ＰＤＡ）５および携帯電話６とを備え、携帯端末５は情報ボックス７に取り付けた電子錠８とケーブル９を介して接続可能となっている。
【００４６】
情報ボックス保守管理装置１は、基本的に、作業計画情報蓄積管理手段１０と、入溝申請情報蓄積管理手段１１と、検索手段１３と、入溝許可情報蓄積管理手段１４と、電子鍵情報蓄積管理手段１５と、情報ボックス検索手段１６と、送信手段１７と、を備える。
【００４７】
作業計画情報蓄積管理手段１０は、図２に示すように、情報ボックス１８、作業予定期間１９、作業内容２０の項目から成る作業計画情報テーブル２１を作業計画情報データベース２２として蓄積管理する。例えば、図２に示すように、情報ボックス１８として「春日線１−１−２」、作業予定期間１９として作業開始日時「２００１年２月１０日１５：００」と作業終了日時「２００１年２月１０日１７：００」、作業内容２０として「点検」などとして登録されている。
【００４８】
入溝申請情報蓄積管理手段１１は、図３に示す入溝申請番号２２および当該入溝申請番号２２に対応付けた電子鍵取得情報２３との項目から成る入溝申請情報テーブル２４を入溝申請情報データベース２５として蓄積管理する。例えば、図３に示すように、入溝申請番号「１」および電子鍵取得情報「２００２１５８０」などと登録され、いずれも電子錠を開錠する電子鍵情報を取得する際に必要な情報となる。
【００４９】
検索手段１３は、入溝希望者端末３から送信される入溝希望の情報ボックスおよび作業日程を受信したときに、入溝が許可された順番に図３に示す入溝申請情報テーブル２５の入溝申請番号２２および電子鍵取得情報２３を検索する。
【００５０】
入溝許可情報蓄積管理手段１４は、入溝申請許可した入溝申請番号２２および電子鍵取得情報２３を入溝希望の情報ボックス１８に対応付けた項目から成る図４に示す入溝許可情報管理テーブル２６を入溝許可情報管理データベース２７として蓄積管理する。
【００５１】
電子鍵情報蓄積管理手段１５は、情報ボックス１８、情報ボックスに対応した番号（Ｎｏ．）１９、電子錠の開錠用鍵ＩＤ２０およびこの開錠用鍵ＩＤ２０に対応するパスワード２１、を有する項目を情報ボックス１８毎に関連付けた図５に示す電子鍵情報管理テーブル２８を電子鍵情報管理データベース２９として蓄積管理する。
【００５２】
情報ボックス検索手段１６は、入溝希望者端末３から送信される入溝申請番号２２および電子鍵取得情報２３が入溝申請情報データベース２５に登録されている場合に、入溝許可情報管理データベース２５から入溝申請番号２２に対応する情報ボックス１８を検索する。例えば、入溝申請番号が「１」である場合には、図４に示す入溝許可情報管理テーブル２６から情報ボックスは「春日線１−１−２」と検索される。
【００５３】
送信手段１７は、検索手段１３から抽出した入溝申請番号２２および電子鍵取得情報２３を入溝希望者端末３に送信するとともに、検索した情報ボックス１８に基づき図５に示す電子鍵情報管理テーブル２８から情報ボックス１８に該当するマンホール７に取り付けた電子錠８の電子鍵情報２０，２１を検索し、検索した電子鍵情報２０，２１を通信端末４に送信する。具体的には、入溝申請番号「１」および電子鍵取得用情報「２００２１５８０」が入溝希望者端末３に送信されるとともに、検索された情報ボックス「春日線１−１−２」からＮｏ．１〜Ｎｏ．３に該当する開錠鍵ＩＤおよびパスワードを通信端末４に送信する。
【００５４】
本構成の情報ボックス保守管理装置１を用いて、Ｗｅｂ上での入溝申請により入溝許可をする処理の流れについて図６〜図１５を用いて説明する。入溝希望者端末３の画面には、例えば、図７に示す入溝申請画面２９が表示され、情報ボックスが一覧表示される。入溝希望者はチェックボックスを選択することにより入溝希望の情報ボックスを選択することが可能である。情報ボックスを選択すると図８に示す入力画面３０が表示され、入溝希望者、入溝希望の作業日程、電子鍵情報を取得する際に使用する通信端末（ＰＤＡ）の番号および携帯電話番号等の各情報の入力を入溝希望者に促す。入溝希望者により各情報が入力された後、図６に示すように、入溝希望者端末３から情報ボックス保守管理装置１に情報ボックスの設置位置および作業日程を含む情報を送信する（ｄ１０１）。
【００５５】
情報ボックス保守管理装置１は、受信した入溝希望の情報ボックスおよび作業日程から入溝申請情報データベース２５から入溝が許可された順番に検索した入溝申請番号および電子鍵取得情報を入溝希望者端末３に送信し（ｄ１０２）、入溝を許可する。例えば、入溝申請により情報ボックス保守管理装置１には、図９に示す入溝申請内容を示す入溝申請内容画面３１が表示され、入溝が許可されると入溝希望者端末３には、図１０に示す送信された入溝申請番号および電子鍵取得情報を含む入溝許可の内容を示す入溝許可内容画面３２が表示され、入溝希望者に対して情報ボックスへの入溝が許可される。
【００５６】
入溝許可後、入溝許可者は電子鍵情報を取得する際、図１１に示す携帯端末（ＰＤＡ）５に表示される携帯端末画面３３から、「電子鍵情報のダウンロード」の処理を選択した後、図１２に表示される画面３４において、入溝申請番号および電子鍵取得情報（「１」および「２００２１５８０」）を入力し、「ダウンロード」のボタンを選択し、情報ボックス保守管理装置１に入溝申請番号および電子鍵取得情報を送信する（ｄ１０３）。
【００５７】
情報ボックス保守管理装置１は、受信した入溝申請番号および電子鍵取得情報が入溝申請情報データベース２５に登録されている場合に、入溝申請番号に対応する情報ボックスを検索し、情報ボックスから開錠鍵情報（ＩＤ，パスワード）を検索し、検索した開錠鍵情報（ＩＤおよびパスワードを通信端末４に送信する（ｄ１０４）。通信端末４が電子鍵情報を受信すると、図１３に示す画面３５に、開錠鍵情報（ＩＤ，パスワード）が表示される。受信した開錠鍵情報ＩＤは、通信端末４の携帯端末５に記憶することが可能であり、携帯端末５に記憶した場合には、図１４に示す電子鍵ＩＤ表示画面において取得した開錠鍵情報ＩＤが一覧表示され、実際に情報ボックスの開閉を行う際に、電子鍵ＩＤ（ｏｋｓ１１２１）を選択する。電子鍵ＩＤを選択した後、図１５に示すパスワード入力画面３７においてパスワード（５９３９２）を入力して電子錠を開錠する。
【００５８】
入溝申請が許可され、実際に入溝作業をする際には、携帯端末（ＰＤＡ）５にケーブル９を介して電子錠８を接続するとともに、携帯端末５に携帯電話６を接続し、携帯端末５の入力画面から開錠鍵情報（ＩＤ，パスワード）を入力すると、入力された開錠鍵情報（ＩＤ，パスワード）が情報ボックス保守管理装置１および電子錠８に送信され（ｄ１０５、ｄ１０６）、電子錠８が開錠される。そして、入溝作業者は、入溝作業を行う。
【００５９】
一連の作業が終了した後、情報ボックスが閉じられると、通信端末から開錠鍵情報（ＩＤ，パスワード）が情報ボックス保守管理装置１に送信され、情報ボックスの閉錠情報が登録される。
【００６０】
なお、本実施形態では、携帯端末５から入溝申請番号および電子鍵取得情報を入力して電子鍵情報を取得する方法を示したが、このような方法に限定されず、入溝希望者端末３から入溝申請番号および電子鍵取得情報を入力して開錠用の電子鍵情報を取得しても良い。
【００６１】
本実施形態によれば、情報ボックスの入溝希望者は、Ｗｅｂ上にて情報ボックスへの入溝申請が可能であり、入溝希望者の入溝が許可されると入溝許可者に対して入溝申請番号および電子鍵取得情報が送信され、情報ボックスに入溝して作業を行う際、入溝申請番号および電子鍵取得情報を送信することにより入溝を希望する情報ボックスの電子鍵ＩＤおよびパスワードを取得することができる。この結果、情報ボックスへの入溝申請の手続きが容易となり、情報ボックスの安全性確保および情報ボックスの管理コストの削減を実現することができる。
【００６２】
第２実施形態
本実施形態では、入溝申請が許可された後、情報ボックス保守管理装置を用いて情報ボックスの開閉管理をする情報ボックス保守管理方法について説明する。
【００６３】
基本的には、第１実施形態に示した情報ボックス保守管理装置を用いたため、同一箇所の説明については省略する。第１実施形態と異なる点は、図示しないが、情報ボックス保守管理装置１に、情報ボックス特定手段と、開錠情報登録手段と、閉錠情報登録手段と、を備えたことにある。なお、電子錠を開錠する際に、携帯端末５に携帯電話６を接続し、かつ、携帯端末５にケーブル９を介して電子錠８に接続した状態として、開錠鍵情報（ＩＤ，パスワード）を携帯端末５に入力した。
【００６４】
情報ボックス特定手段は、携帯端末５から送信される開錠鍵情報（ＩＤ，パスワード）が電子鍵情報管理データベースに登録されている場合に、開錠鍵情報ＩＤに基づき情報ボックスを特定する。
【００６５】
開錠情報登録手段は、検索した情報ボックスの電子錠が開錠されたという情報（開錠情報）３９を電子鍵情報管理テーブル３８に登録する。
【００６６】
閉錠情報登録手段は、情報ボックスが閉じられたときに、情報ボックスが閉じられたという情報（閉錠情報）４０を電子鍵情報管理データベースに登録する。
【００６７】
上記情報ボックス保守管理装置１によれば、携帯端末５から開錠鍵情報（ＩＤ，パスワード）が送信されると、第１実施形態の図５に示す電子鍵情報管理テーブル２８を参照して自動的に開錠された情報ボックス（宮古島１−１−２）Ｎｏ．１およびＮｏ．１を検索し、開錠情報３９または閉錠情報４０が登録されているか否かに応じて、図１６に示す電子鍵情報管理テーブルに「開錠」あるいは「閉錠」と登録される。
【００６８】
本実施形態によれば、情報ボックス保守管理装置１により携帯端末５から送信される電子鍵ＩＤおよびパスワードに応じて自動的に情報ボックスの開閉状況を認識できるため、情報ボックスの開閉管理を厳格化でき、かつ、管理を容易とすることができる。
【００６９】
第３実施形態
本実施形態は、第２実施形態を改良して情報ボックスの開閉状況を電子地図情報上に表示し、情報ボックスの保守管理をより一層容易としたものである。基本的には、第２実施形態に示した情報ボックス保守管理装置を用いたものであるため説明は省略する。第２実施形態と異なる点は、図示しないが、情報ボックス保守管理装置１に、電子地図情報蓄積管理手段と、位置検索手段と、電子地図情報検索手段と、識別表示手段と、を備えたことにある。なお、情報ボックス保守管理装置１に各手段を個別に備えたものであるが、本実施形態は、このような形態に限定されるものではなく、これらの各手段を備えたシステムを導入して、本システムと情報ボックス保守管理装置とを連動させて使用するものであっても良い。
【００７０】
電子地図情報蓄積管理手段は、電子地図情報テーブルを蓄積管理しており、電子地図情報テーブルは、情報ボックスおよび情報ボックスの位置を表示した地域毎の電子地図情報と、情報ボックスおよび情報ボックスの位置を含む位置情報と、の項目とを関連付けて蓄積管理している。
【００７１】
位置検索手段は、開錠情報３９あるいは閉錠情報４０が電子鍵情報管理テーブル３８に登録されたときに、開錠情報３９または閉錠情報４０に基づき情報ボックスを検索する。
【００７２】
電子地図情報検索手段は、検索された情報ボックスの設置情報から電子地図情報データベースを参照し、情報ボックスの設置位置に関連付けられた電子地図情報を検索する。
【００７３】
識別表示手段は、検索した地図情報上に特定される情報ボックスを点滅表示させるか、あるいは、情報ボックスを色別表示する。
【００７４】
上記情報ボックス保守管理装置１によれば、第２実施形態の図１６に示す電子鍵情報管理テーブル３８を参照して開錠された情報ボックス（宮古島１−１−２）Ｎｏ．１、Ｎｏ．１を特定することができ、情報ボックス（宮古島１−１−２）を表示した電子地図情報上に電子錠が開錠され情報ボックスまたは閉じられた情報ボックスを点滅表示させるなどにより他の情報ボックスから識別することができる。
【００７５】
本実施形態によれば、情報ボックス保守管理装置に電子地図情報の地図情報データベースを蓄積管理しておき、通信端末から送信される電子鍵ＩＤおよびパスワードに基づき電子錠が開錠された情報ボックスを電子地図上において識別表示することが可能なため、電子地図上でリアルタイムに情報ボックスの開閉状況を把握することができる。この結果、情報ボックスの保守管理を厳格に行うことが可能である。
【００７６】
なお、本実施形態においては、電子地図上において情報ボックスの開閉状況をリアルタイムに管理することが可能であるが、リアルタイムに管理を行う情報は、情報ボックスの開閉状況に限定されるものではなく、例えば、情報ボックスの開閉が予定通りに行われているかを表示しても良く、また、入溝予定がある設備等を表示しても良い。このような表示は、検索条件を設定することにより、情報ボックス保守管理装置に蓄積された作業計画情報データベースや入溝許可情報管理データベースを参照して、該当する情報を抽出する等により実現可能である。
【００７７】
また、上述した第１実施形態から第３本実施形態までの情報ボックス保守管理方法の処理手順をプログラムとして例えばＣＤやＦＤなどの記録媒体に記憶して、この記録媒体を情報ボックス保守管理装置に組み込んだり、または、通信回線を介して記録媒体に記録されたプログラムをコンピュータにダウンロードしたり、または記録媒体からインストールし、当該プログラムでコンピュータシステムを作動させることにより、情報ボックス保守管理方法を実施するシステムとして機能させることができることはもちろんであり、このような記録媒体を用いることにより、その流通性を高めることができるものである。
【００７８】
【発明の効果】
以上説明したように、本発明の情報ボックス保守管理方法および情報ボックス保守管理装置によれば、Ｗｅｂ上にて入溝申請が可能であるため、入溝申請の手続きを容易とし、かつ、情報ボックスの開閉状況をリアルタイムに管理することができ、その結果、情報ボックスの安全性確保および情報ボックスの管理コスト削減を実現することができる。
【図面の簡単な説明】
【図１】第１実施形態を説明する図で、情報ボックス保守管理装置を用いて情報ボックス保守管理方法を実現するための概略的な構成を示す図。
【図２】作業計画情報テーブルの構成を示す図。
【図３】入溝申請情報テーブルの構成を示す図。
【図４】入溝許可情報管理テーブルの構成を示す図。
【図５】電子鍵情報管理テーブルの構成を示す図。
【図６】Ｗｅｂ上での入溝申請により入溝許可の処理の流れを示す図。
【図７】入溝希望者端末に表示される入溝申請画面図。
【図８】入溝希望者に各種情報の入力を促す入力画面図。
【図９】入溝申請内容を示す画面図。
【図１０】情報ボックス保守管理装置に表示される画面図。
【図１１】入溝許可者が電子鍵情報を取得する際に、通信端末（ＰＤＡ）に表示される画面図。
【図１２】入溝申請番号および電子鍵取得情報の入力画面図。
【図１３】通信端末にダウンロードされた電子鍵情報（電子鍵ＩＤ，パスワード）を表示する画面図。
【図１４】通信端末に表示される電子鍵ＩＤの一覧を表示する画面図。
【図１５】電子錠を開錠するパスワード入力画面図。
【図１６】電子錠が取り付けられた情報ボックスの開閉状況が表示された電子鍵情報管理テーブルの構成を示す図。
【図１７】従来における、情報ボックス保守管理方法の処理の流れを示す図。
【符号の説明】
１　情報ボックス保守管理装置
２　通信回線
３　入溝希望者端末
４　通信端末
５　携帯端末（ＰＤＡ）
６　携帯電話
７　マンホール
８　電子錠
９　ケーブル
１０　作業計画情報蓄積管理手段
１１　入溝申請情報蓄積管理手段
１３　検索手段
１４　入溝許可情報蓄積管理手段
１５　電子鍵情報蓄積管理手段
１６　情報ボックス検索手段
１７　送信手段
１８　情報ボックス
１９　作業日程（作業開始日時・作業終了日時）
２０　作業内容
２１　作業計画情報テーブル
２４　入溝申請情報テーブル
２５　入溝申請情報データベース
２６　入溝許可情報管理テーブル
２７　入溝許可情報管理データベース
２８　電子鍵情報管理テーブル
２９　入溝申請画面
３０　入力画面
３１　入溝申請内容画面
３２　入溝許可内容画面
３３　携帯端末画面
３４　入溝申請番号・電子鍵取得情報入力画面
３５　電子鍵情報表示画面
３６　電子鍵ＩＤ一覧表示画面
３７　パスワード入力画面
３８　電子鍵情報管理テーブル
３９　開錠情報
４０　閉錠情報
【図１】
2004054700.tif 000003
【図２】
2004054700.tif 000004
【図３】
2004054700.tif 000005
【図４】
2004054700.tif 000006
【図５】
2004054700.tif 000007
【図６】
2004054700.tif 000008
【図７】
2004054700.tif 000009
【図８】
2004054700.tif 000010
【図９】
2004054700.tif 000011
【図１０】
2004054700.tif 000012
【図１１】
2004054700.tif 000013
【図１２】
2004054700.tif 000014
【図１３】
2004054700.tif 000015
【図１４】
2004054700.tif 000016
【図１５】
2004054700.tif 000017
【図１６】
2004054700.tif 000018
【図１７】
2004054700.tif 000019